(57)【要約】      （修正有）【課題】ＬＰＧや化学材料等の液体や気体の危険物を貯留する貯槽に設置して、地震発生時に電力を使用せずに瞬時にバルブを遮断することのできる貯槽用緊急遮断弁装置を提供する。【解決手段】貯槽用緊急遮断弁装置は、地震動の大きさが閾値を超える場合に、弁体１２の開放位置までレンチ３によって弁駆動軸６を回動した状態から、弁駆動軸に固定された軸固定ギヤ４に歯合しているロックギヤがロック解除機構８の動作によってロック解除されると、弁駆動軸に固定されている巻きバネ５の付勢力が解除されて弁駆動軸が復元位置に戻り、この動作に伴って弁体が閉鎖位置まで回動する。【選択図】図１
0003177170.tif 000002
【実用新案登録請求の範囲】
【請求項１】
液体又は気体危険物を貯留する貯槽の配管に設置して地震発生時に貯留物の流出を防止する貯槽用緊急遮断弁装置において、地震動の大きさが閾値を超える場合に、バルブに取付けられた弁体駆動機構によって無電力状態で弁体を駆動してバルブを遮断することを特徴とする貯槽用緊急遮断弁装置。
【請求項２】
弁体の開放位置までレンチによって弁駆動軸を回動した状態において、弁駆動軸に固定された軸固定ギヤに歯合しているロックギヤがロック解除機構の動作によってロック解除されると、弁駆動軸に固定されている巻きバネの付勢力が解除されて弁駆動軸が復元位置に戻ると、この動作に伴って弁体が閉鎖位置まで回動されるように構成したことを特徴とする請求項１記載の貯槽用緊急遮断弁装置。
【請求項３】
ロック解除機構のロック状態においては弁体が開放位置に保持されており、該ロック解除機構の筺体内にはスライド自在なスライドプレートがあり、該スライドプレートの先端部にロックギヤが支軸によって回動自在に保持され、他端に当接された偏芯コマによって押圧され、ロックギヤが軸固定ギヤに噛合って弁駆動軸の回転を阻止してロック状態となることを特徴とする請求項１記載の貯槽用緊急遮断弁装置。
【請求項４】
ロック解除機構の筺体とレリーズチューブ固定部間にレリーズチューブが固定され、該レリーズチューブにレリーズワイヤが挿通され、該レリーズワイヤの一端が偏芯コマの一端に保持され、他端がレリーズワイヤ固定部に固定されており、地震動によって変位する該レリーズワイヤ固定部が変位するとこれに伴ってレリーズワイヤが変位し、偏芯コマが動作してスライドプレートがスライドしてロックギヤが離脱して軸固定ギヤの回転が解除され、巻きバネの付勢力が解除されて弁駆動軸が回動し弁体が閉鎖されることを特徴とする請求項１記載の貯槽用緊急遮断弁装置。
【請求項５】
弁体を緊急時の閉鎖位置から再び開放位置へ復元する場合、弁体駆動機構の上面より突出した弁駆動軸の頭部にレンチを嵌着して、該弁駆動軸を巻きバネの付勢力に抗して回動し弁体を元の開放位置に復元してロック状態に保持できるように構成したことを特徴とする請求項１記載の貯槽用緊急遮断弁装置。
【考案の詳細な説明】
【技術分野】
【０００１】  本考案は貯槽用緊急遮断弁装置に関し、特にＬＰＧや化学材料等の液体又は気体の危険物を貯留する貯槽の地震発生時における貯留物流出を防止する遮断弁装置において、従来の電磁弁のような電力を使用せずに弁体駆動機構によって瞬時に弁体を駆動してバルブを遮断することのできる貯槽用遮断弁装置に関する。
【背景技術】
【０００２】  従来、巨大地震発生時におけるＬＰＧ貯蔵装置や化学材料等の液体危険物の流出を未然に防ぐために地震を検知してバルブを遮断する自動閉止バルブ等が開発されている。
【先行技術文献】
【特許文献】
【０００３】
【特許文献１】  特開平９−２１０２３０号公報
【特許文献２】  特許平１１−２８３４７６号公報
【特許文献３】  特開２０００−３５６２７７号公報
【考案の概要】
【考案が解決しようとする課題】
【０００４】  前記せる特開平９−２１０２３０号公報は、バルブ本体内に上下動可能に挿通されている弁棒の上端支持座に球体が載置されており、該球体が振動により支持座より外れた時に弁棒が上昇してバルブを閉鎖し、液体燃料の流出を遮断するものであった。【０００５】  また、前記せる特許平１１−２８３４７６号公報は、導電性振子部材と接触する電極との導通回路の形成で地震発生を検出して、流体の流路を遮断するものであった。【０００６】  また、前記せる特開２０００−３５６２７７号公報は、地震の発生に応じて遮断弁を自動的に遮断する電動開閉機構付きの緊急遮断弁であって、感震器や電気制御部が一体的に配置されているものであった。【０００７】  前記せる従来の緊急遮断弁装置はいずれも電力を要する電磁弁であって、地震発生時において電源も破損した場合は機能を発揮することができなかった。
【課題を解決するための手段】
【０００８】  本考案は前記せる課題を解決するために鋭意研究した結果、電力がなくても機能することのできる貯槽用緊急遮断弁装置を以下の構成によって解決するものである。【０００９】  すなわち、液体や気体の危険物を貯留する貯槽の配管に設置して地震発生時に貯留物の流出を防止する貯槽用緊急遮断弁装置において、地震動の大きさが閾値を超える場合に、バルブに取付けられた弁体駆動機構によって無電力状態で弁体を駆動してバルブを遮断することを特徴とし、弁体の開放位置までレンチによって弁駆動軸を回動した状態において、弁駆動軸に固定された軸固定ギヤに歯合しているロックギヤによるロック解除機構の動作によってロック解除されると、弁駆動軸に固定されている巻きバネの付勢力が解除されて弁駆動軸が復元位置に戻ると、この動作に伴って弁体が閉鎖位置まで回動されるように構成したことを特徴とし、ロック解除機構のロック状態においては弁体が開放位置に保持されており、該ロック解除機構の筺体内にはスライド自在なスライドプレートがあり、該スライドプレートの先端部にロックギヤが支軸によって回動自在に保持され、他端に当接された偏芯コマによって押圧され、ロックギヤが軸固定ギヤに噛合って弁駆動軸の回転を阻止してロック状態となることを特徴とし、ロック解除機構の筺体とレリーズチューブ固定部間にレリーズチューブが固定され、該レリーズチューブにレリーズワイヤが挿通され、該レリーズワイヤの一端が偏芯コマの一端に保持され、他端がレリーズワイヤ固定部に固定されており、地震動によって変位する該レリーズワイヤ固定部が変位するとこれに伴ってレリーズワイヤが変位し、偏芯コマが動作してスライドプレートがスライドしてロックギヤが離脱して軸固定ギヤの回転が解除され、巻きバネの付勢力が解除されて弁駆動軸が回動し弁体が閉鎖されることを特徴とし、且つ、弁体を緊急時の閉鎖位置から再び開放位置へ復元する場合、弁体駆動機構の上面より突出した弁駆動軸の頭部にレンチを嵌着して、該弁駆動軸を巻きバネの付勢力に抗して回動し弁体を元の開放位置に復元してロック状態に保持できるように構成したことを特徴とする貯槽用緊急遮断弁装置を提供する。
【考案の効果】
【００１０】  以上説明したように本考案の貯槽用遮断弁装置によれば、巨大地震発生時におけるＬＰＧ貯蔵装置や化学材料等の液体又は気体の危険物の流出を未然に防ぐことができるので、地震防災が確実にできる効果がある。
【図面の簡単な説明】
【００１１】
【図１】  貯槽用緊急遮断弁装置の配管取付け正面図である。
【図２】  ロック解除機構の平面図である。
【考案を実施するための形態】
【００１２】  以下、図面に示す実施例に基づき本考案の貯槽用緊急遮断弁装置を具体的に説明する。
【００１３】  液体又は気体の危険物を貯留する貯槽１の配管１１に設置して地震発生時に貯留物流出を防止する貯槽用緊急遮断弁装置において、地震動の大きさが閾値を超える場合に、バルブに取付けられた弁体駆動機構２によって無電力状態で弁体１２を駆動してバルブを遮断することができる貯槽用緊急遮断弁装置である。
【００１４】  弁駆動軸６は弁体駆動機構２の内部で軸固定ギヤ４と巻きバネに固定されており、駆動軸連結部７を介して弁体１２を駆動することができる。
【００１５】  弁駆動軸６は弁体駆動機構２の上面より突出しており、この突出部にレンチ３を嵌着して弁駆動軸６を回動することができる。
【００１６】  レンチ３の操作によって巻きバネ５を巻きこみながら弁駆動軸６を弁体１２の開放位置まで回動するとき、同時に軸固定ギヤ４も回動し、該固定ギヤ４にロック解除機構のロックギヤ８２が噛合って弁体１２は開放状態に保持される。
【００１７】  この状態で貯槽１からの内容液は通常状態で配管１１から送りだされている。
【００１８】  巨大地震によって大きな震動が生じた時、弁体１２の開放位置までレンチ３によって弁駆動軸６を回動した状態において、弁駆動軸６に固定された軸固定ギヤ４に歯合しているロックギヤ８２がロック解除機構８の動作によってロック解除されると、弁駆動軸６に固定されている巻きバネ５の付勢力が解除されて弁駆動軸６が復元位置に戻ると、この動作に伴って弁体１２が閉鎖位置まで回動する。
【００１９】  ロック解除機構８のロック状態においては弁体１２が開放位置に保持されており、該ロック解除機構８の筺体８１内にはスライド自在なスライドプレート８５があり、該スライドプレート８５の先端部にロックギヤ８２が支軸８３によって回動自在に保持され、他端に当接された偏芯コマ８９によって押圧され、ロックギヤ８２が軸固定ギヤ４に噛合って弁駆動軸６の回転を阻止してロック状態となっている。
【００２０】  ロック解除機構８の筺体８１とレリーズチューブ固定部１３１間に、レリーズチューブ９が固定され、該レリーズチューブ９にレリーズワイヤ９１が挿通され、該レリーズワイヤ９１の一端が偏芯コマ８９の一端に保持され、他端がレリーズワイヤ固定部１４１に固定されており、地震動によって変位する該レリーズワイヤ固定部１４１が変位するとこれに伴ってレリーズワイヤ９１が変位し、偏芯コマ８９が動作してスライドプレート８５がスライドしてロックギヤ８２が離脱して軸固定ギヤ４の回転が解除され、巻きバネ５の付勢力が解除されて弁駆動軸６が回動し弁体１２が閉鎖される。
【００２１】  弁体１２を緊急時の閉鎖位置から再び開放位置へ復元する場合、弁体駆動機構２の上面より突出した弁駆動軸６の頭部にレンチ３を嵌着して、該弁駆動軸６を巻きバネ５の付勢力に抗して回動し弁体１２を元の開放位置に復元してリセット状態に保持することができる。
【産業上の利用可能性】
【００２２】  以上説明したように本考案の貯槽用緊急遮断弁装置によれば、ＬＰＧや化学材料等の液体又は気体の危険物を貯留する貯槽の配管に設置して、特に電源がなくても地震発生時に貯留物流出を防止することができるので、防災設備としての産業上の利用可能性は多大である。
【符号の説明】
【００２３】  １  貯槽
２  弁体駆動機構
３  レンチ
４  軸固定ギヤ
５  巻きバネ
６  弁駆動軸
７  駆動軸連結部
８  ロック解除機構
９  レリーズチューブ
１０  取付け金具
１１  配管
１２  弁体
１３  フランジ
１３１  レリーズチューブ固定部
１４  フランジ
１４１  レリーズワイヤ固定部
８１  筺体
８２  ロックギヤ
８３  支軸
８４  長孔
８５  スライドプレート
８６  ピン
８７  ピン
８８  コイルバネ
８９  偏芯コマ
９０  支軸
９１  レリーズワイヤ
【図１】
0003177170.tif 000003
【図２】
0003177170.tif 000004
【手続補正書】
【提出日】平成24年4月12日(2012.4.12)
【手続補正１】
【補正対象書類名】実用新案登録請求の範囲
【補正対象項目名】請求項１
【補正方法】変更
【補正の内容】
【請求項１】
液体又は気体危険物を貯留する貯槽の配管に設置して地震発生時に貯留物の流出を防止する貯槽用緊急遮断弁装置において、地震動の大きさが閾値を超える場合に、弁体開放位置までレンチによって弁駆動軸を回動した状態から、弁駆動軸に固定された軸固定ギヤに歯合しているロックギヤがロック解除機構の動作によってロック解除されると、弁駆動軸に固定されている巻きバネの付勢力が解除されて弁駆動軸が復元位置に戻り、この動作に伴って弁体が閉鎖位置まで回動するように構成したことを特徴とする貯槽用緊急遮断弁装置。